(57)【要約】【課題】外力が作用しても折損や変形しにくいガイド用ピンとする。【解決手段】重量物を据え付ける際に用いる位置決め用ガイドピン１０であって、据え付け面の所定位置にそれぞれ植設されるボルトからなる芯体１４と該芯体１４を覆うカバー体１２から成り、かつカバー体１２は、円錐台形をなす頭部１２ａと前記芯体１４と一体に連結される胴部１２ｂを有する。前記芯体１４とカバー体胴部１２ｂ内周面との間に空隙を設け、据え付けに際して、重量物からピン周面に力を受けたときにカバー体１２が撓み、応力が集中しないようにする。【選択図】           図２
2006029527.tif 000002
【特許請求の範囲】
【請求項１】
重量物を据え付ける際に用いる位置決め用ガイドピンであって、
据え付け面の所定位置にそれぞれ固定される芯体と該芯体を覆いかつ前記芯体と連結される胴部を有するカバー体とからなり、カバー体の上部には案内用テーパー面が形成されていると共に、前記芯体とカバー体胴部内周面との間に空隙を設けたことを特徴とする位置決め用ガイドピン。
【請求項２】
請求項１に記載された位置決め用ガイドピンにおいて、
前記芯体はボルトであり、かつ前記ボルトの頭部或いは該ボルトに螺合するナットを前記カバー体胴部内面の係止部に係止することを特徴とする位置決め用ガイドピン。
【請求項３】
請求項１に記載された位置決め用ガイドピンにおいて、
前記芯体は棒状体であり、かつ該棒状体を前記カバー体胴部内面の係止部に係止することを特徴とする位置決め用ガイドピン。
【請求項４】
請求項１ないし３のいずれかに記載された位置決め用ガイドピンにおいて、
前記カバー体胴部は、前記カバー体が重量物をガイドする際に受ける外力に対し可撓であることを特徴とする位置決め用ガイドピン。
【発明の詳細な説明】
【技術分野】
【０００１】
本発明は、位置決め用ガイドピンに関し、とくに重量物の据え付け等に利用する位置決め用ガイドピンに関する。
【背景技術】
【０００２】
重量物を正しく位置決めして取り付けるために、ガイドピンが使用されている。
図３は従来のガイドピンの１例を示すものであるが、図示のように従来のガイドピン１は、頭部にテーパー１ａを施した中実の金属等で形成されており、それを据え付け床面或いは基盤等Ｇに予め植設しておき、重量物をクレーンでつり上げて据え付け場所直上に搬送した後降下させて、重量物の例えば底面に形成された位置決め用凹部に前記ピン１を嵌合させることで位置決めを行っている。
【０００３】
しかしながら、重量物の前記凹部を床面等に植設されたピンに嵌合させる際、ピンの頭部はテーパー面に形成されているため、前記凹所とピンの中心が多少ずれていても位置合わせは可能であるが、両者が接触したときにピン外周面に重量物から力が作用し、図４に示すように、ピン１の床面等Ｇに対する取付部の段部に応力が集中し、ピン１がこの部分で折れたりあるいは曲がったりすることがあった。
【０００４】
そこで、重量物を位置決めして取り付ける際には、金属板とゴムを積層した積層構造の弾性支承体を用い、この弾性支承体を台座に予め固定されたベースプレートにボルトで固定するとともにベースプレートにガイドピンを固定し、例えば橋桁のような重量物を弾性支承体上に降ろし、ガイドピンの上端を開口に係合させて据え付けることが行われている。このような構成にすることにより、ガイドピンと開口とが若干ずれていても、弾性支承体がそのズレを吸収し、ガイドピンに過大な応力集中が生じないようにしている（特許文献１参照）。
【０００５】
即ち、図５Ａに示すように、橋桁１１３をガイドピン１１１を予め設定した所定位置上に移動し、下降させる。ここで、ガイドピン１１１の中心と開口１１７の中心とが若干ずれているときには、ガイドピン１１１のテーパ形状部１１１ａが図５Ｂ、図５Ｃに示すように、開口１１７のテーパ部１１７ａに当接し、ガイドピン１１１の中心が開口１１７の中心に引き寄せられるように支承体１０５が水平剪断方向に変形する。
【０００６】
また、ガイドピン１１１の方向と凹穴１１９の方向が若干ずれているときには、ガイドピン１１１の辺の方向と開口１１７の辺の方向とが合致するように支承体１０５がねじれるように変形する。やがてガイドピン１１１の角柱状の下半部１１１ｂが開口１１７の角形孔部１１７ｂに合致し、図５Ｄに示すように、ガイドピン１１７が凹穴１１９内に深く差し込まれ、位置決めがなされる。
【０００７】
このように開口１１７のセンターとガイドピン１１１のセンターとが若干ずれたり、両者の方向が若干ずれたりしていても、橋桁１１３のような重量物を弾性支承体１０５上に位置合わせ及び方向合わせしながら載せる。
この構成では、重量物（橋桁）からガイドピンに作用する外力は、弾性支承体の変形により吸収することができるからガイドピンが折損や変形を起こすことはない。
しかしながら、ガイドピンにより重量物の据え付けの位置決めを行う場合、コストや据え付け場所等を考慮すれば常に上記のような据え付け手段を採ることは不可能である。
【特許文献１】特開２０００−８７３１２号公報
【発明の開示】
【発明が解決しようとする課題】
【０００８】
本発明の目的は、位置決め時にガイドピンの中心と重量物の位置決め用凹所の中心が多少ずれていても、ガイドピンに集中応力が発生しないようにして、ガイドピンの折損や変形を防止することである。
【課題を解決するための手段】
【０００９】
請求項１の発明は、重量物を据え付ける際に用いる位置決め用ガイドピンであって、据え付け面の所定位置にそれぞれ固定される芯体と該芯体を覆いかつ前記芯体と連結される胴部を有するカバー体とからなり、カバー体の上部には案内用テーパー面が形成されていると共に、前記芯体とカバー体胴部内周面との間に空隙を設けたことを特徴とする位置決め用ガイドピンである。
請求項２の発明は、請求項１に記載された位置決め用ガイドピンにおいて、前記芯体はボルトであり、かつ前記ボルトの頭部或いは該ボルトに螺合するナットを前記カバー体胴部内面の係止部に係止することを特徴とする位置決め用ガイドピンである。
請求項３の発明は、請求項１に記載された位置決め用ガイドピンにおいて、前記芯体は棒状体であり、かつ該棒状体を前記カバー体胴部内面の係止部に係止することを特徴とする位置決め用ガイドピンである。
請求項４の発明は、請求項１ないし３のいずれかに記載された位置決め用ガイドピンにおいて、前記カバー体胴部は、前記カバー体が重量物をガイドする際に受ける外力に対し可撓であることを特徴とする位置決め用ガイドピンである。
【発明の効果】
【００１０】
本発明によれば、ガイドピンを芯棒部分とその芯棒部分の周りに間隔を隔てて中空のカバー体を取り付けた構成としたため、重量物の据え付けの際にガイドピンの中心と、重量物側の位置決め凹所の中心とが若干ずれていてもピンの外周面に重量物側から作用する外力は、ガイドピンの撓みにより容易に吸収されるから、従来のように集中応力が発生してガイドピンが折損したり曲がったりすることはない。従って、低コストで重量物を正しく位置決めして据え付けることができる。
【発明を実施するための最良の形態】
【００１１】
図１は、本発明の据え付け用ガイドピンの１実施の形態を示す縦断面図である。
ガイドピン１０は、図１に示すように先端に行くに従って小径となる円錐台形の頭部カバー体１２ａと、この頭部カバー体１２ａとは別体に形成された円筒状の胴部１２ｂとからなるカバー体１２と、カバー体１２中に収納される芯体例えば頭部１８付きボルト１４とから成っており、ボルト１４を胴部１２ｂ内に収容したとき、その両者の間にカバー体１２の前記外力による撓みを許容する空隙を明けておく。
【００１２】
ボルト１４を取付床面等に植設する際に、ボルト頭部１８は座金１６を介してカバー体１２の前記円筒状胴部内面に形成された係止部となる段部１２ｂ１に係止し、ボルト１４と共にカバー体胴部１２ｂを床面Ｇ等に固定することができる。
ボルト１４及びカバー体１２の胴部１２ｂを床面Ｇ等に固定した後、頭部カバー体１２ａをネジ止めその他任意の手段で前記胴部１２ｂの段部１２ｂ１に取付け一体化する。なお、芯体は、頭部付きボルトに限らず、ナットを螺合するものであってもよく、或いはカバー体１２の胴部１２ｂの係合部（段部１２ｂ１）に係止可能な例えば鍔付きの棒状体でもよい。
【００１３】
重量物を据え付ける場合、まず、例えばボルト１４の頭部をカバー体胴部１２ｂの前記段部段部１２ｂ１に係止させた状態で床面Ｇに植設しその上からカバー体１２を止着して、ガイドピン１０を床面Ｇに設定し、その状態で重量物を例えば天井クレーン等で所定位置に搬送する。ここで、ガイドピン１０と重量物の位置決め凹所１８の中心に若干の位置ずれがあると、重量物を降下させたとき重量物の凹所の側壁がガイドピンのテーパー上の先端側面に接触し、その後は重量物の前記凹所側壁がガイドピンのテーパー面にガイドされつつ、重量物が下降し所定位置に設置される。その際、ガイドピン１０は重量物からの力を受けて撓み、従来のように局部的な応力集中は発生しないため、ガイドピン１０は前記外力に耐え、折損或いは変形などは生じない。したがって、重量物を正しく位置決めして据え付けることができる。
【００１４】
図２は、本発明に係るガイドピンを用いて重量物の据え付けを行う場合の据え付け工程におけるガイドピンと重量物３０の据え付け凹所３２との位置関係を説明するための図である。
まず、重量物３０を天井クレーン４０で吊り上げてガイドピン１０上に搬送する（図２Ａ）。続いて、その位置で重量物３０を下降させると、ガイドピン１０の頭部カバー体１２ａのテーパ面１２ａ１が重量物３０の位置決め用凹所３２のテーパ面３２ａに当接し（図２Ｂ）、重量物３０が下降するに従って、重量物３０の凹所３２のテーパー面３２ａはガイドピン１０のテーパー面１２ａ１にガイドされつつ若干移動し、ガイドピン１０は重量物の据え付けガイド用凹所３２中に嵌入して位置決めが完了する（図２Ｃ）。その際、ガイドピン１０のカバー体１２には重量物３２から力が作用するが、カバー体１２はそれを固定するボルト１４との間に隙間があるため若干撓むことができ、それによって外力を吸収するから折れたり曲がったりすることがない。
【００１５】
このように、ガイドピンは据え付け時に重量物から受ける外力を分散・吸収できるから、従来のようにガイドピンの床面等との取付部等に集中応力が発生して折損や変形を起こすことがなく、また、コストを要することもなく重量物を容易且つ確実に位置決めすることができる。
【図面の簡単な説明】
【００１６】
【図１】本発明のガイドピンの１実施形態を示す縦断面図である。
【図２】重量物据え付け工程における本発明に係るガイドピント重量物との位置関係を示す要部断面図である。
【図３】従来のガイドピンの縦断面図である。
【図４】従来のガイドピンが外力を受けたときの状態を示した縦断面図である。
【図５】重量物据え付け工程における従来のガイドピント重量物との位置関係を示す要部断面図である。
【符号の説明】
【００１７】
１０・・・ガイドピン、１２・・・カバー体、１２ａ・・・カバー体頭部、１２ｂ・・・カバー体胴部、１４・・・ボルト、１６・・・座金、１８・・・ボルト頭部、３０・・・重量物、３２・・・位置決め用凹所、３２ａ・・・位置決め用凹所のテーパー面
【図１】
2006029527.tif 000003
【図２】
2006029527.tif 000004
【図３】
2006029527.tif 000005
【図４】
2006029527.tif 000006
【図５】
2006029527.tif 000007